(57)【要約】【課題】プロジェクタ１は、投写映像の台形歪をユーザが手動で補正する際に、投写映像と投写領域周縁部との境界を明確に表示して、補正の再設定が必要か否かの判断をする。【解決手段】映像を入力する映像入力部２と、投写面１０に映像を投写する映像投写部５と、起動時に直前の使用時の台形歪補正情報を読み出し、台形歪補正情報の表示を投写面１０に所定時間投写した後、台形歪補正情報の表示を消すように映像投写部５を制御する制御部６と、を備える。【選択図】図１
2009147585.tif 000002
【特許請求の範囲】
【請求項１】
投写面に映像を投写するプロジェクタの制御方法であって、
起動時に直前の使用時の台形歪補正情報を読み出すステップと、
前記台形歪補正情報の表示を前記投写面に所定時間投写するステップと、
所定時間経過後、前記台形歪補正情報の表示を消すステップと、
を含むことを特徴とするプロジェクタの制御方法。
【請求項２】
前記台形歪補正情報は、投写された映像の輪郭を示す投写枠を含むことを特徴とする請求項１に記載のプロジェクタの制御方法。
【請求項３】
前記台形歪補正情報は、台形歪補正値を含むことを特徴とする請求項１又は２に記載のプロジェクタの制御方法。
【請求項４】
前記台形歪補正情報の表示中に、台形歪補正操作を検出した場合は、台形歪補正モードに移行することを特徴とする請求項１〜３のいずれか１項に記載のプロジェクタの制御方法。
【請求項５】
投写面に映像を投写するプロジェクタの制御プログラムであって、
起動時に直前の使用時の台形歪補正情報を読み出すステップと、
前記台形歪補正情報の表示を前記投写面に所定時間投写するステップと、
所定時間経過後、前記台形歪補正情報の表示を消すステップと、
をプロジェクタに搭載されたコンピュータに実行させることを特徴とするプロジェクタの制御プログラム。
【請求項６】
映像を入力する映像入力部と、
投写面に映像を投写する映像投写部と、
起動時に直前の使用時の台形歪補正情報を読み出し、前記台形歪補正情報の表示を前記投写面に所定時間投写した後、前記台形歪補正情報の表示を消すように前記映像投写部を制御する制御部と、
を備えることを特徴とするプロジェクタ。
【発明の詳細な説明】
【技術分野】
【０００１】
本発明は、スクリーン等の投写面に映像を投写するプロジェクタの制御方法、制御プログラム及びプロジェクタに関し、特に、映像の台形歪補正情報の表示制御に関する。
【背景技術】
【０００２】
プロジェクタを用いてスクリーン等の投写面に映像を表示させるとき、プロジェクタと投写面との相対的な傾斜角度によって、投写面に表示された映像（以下「投写映像」と呼ぶ）に台形歪が生ずる。このような投写映像の台形歪をユーザが手動で補正するための台形歪補正（キーストン歪補正）スイッチを備えたプロジェクタがある。
【０００３】
図４は、台形歪補正スイッチによる台形歪補正操作を説明する模式図である。上記の台形歪補正スイッチは、例えば図４に示すように、台形の上底を狭める方向に押した量（回数又は時間）に応じて連続的に補正するスイッチ１０１と、下底を狭める方向に押した量（回数又は時間）に応じて連続的に補正するスイッチ１０２で構成される。
ユーザは投写映像を見ながら、台形歪補正スイッチ１０１，１０２を操作することにより台形歪を補正することができる。
また、このような台形歪補正を支援するために、特許文献１には、測距センサを使用してスクリーンとプロジェクタ本体の傾斜角度を検出し、この傾斜角度をスクリーン上に表示するプロジェクタが記載されている。
【特許文献１】特開２００５−２９２６７５号公報
【発明の開示】
【発明が解決しようとする課題】
【０００４】
図５は、スクリーン上に台形歪補正後の映像が投写されている状態を説明する模式図である。ところで、図５に示すように、スクリーン上に台形歪補正後の映像が投写されているとき、その外側には、台形歪が生じている状態の投写光の投写領域周縁部１１０が存在する。この投写領域周縁部１１０には、階調として最低の輝度レベル（黒）が割り当てられる。
【０００５】
即ち、台形歪補正が既になされている場合は、スクリーン上に補正状態にある投写映像１００が正規形状（４：３又は１６：９等の縦横比の長方形）で表示され、その外側に投写領域周縁部１１０が存在する。
【０００６】
しかしながら、投写領域周縁部１１０を完全な黒として表現することは困難であり、映像が暗いシーンである場合は、スクリーン上で投写映像１００と投写領域周縁部１１０との境界が曖昧となり台形歪補正がなされているか否かが分かりにくく、補正の再設定が必要か否かの判断がしにくいという問題点があった。
【０００７】
また、上記の特許文献１に記載されたプロジェクタは、傾斜角度検出センサが必要であり、プロジェクタの製造コストが増大するという問題点があった。
【０００８】
本発明は、上記問題点を解決するためになされたものであり、投写映像の台形歪をユーザが手動で補正する際に、プロジェクタの製造コストを上げることなく、投写映像と投写領域周縁部との境界を明確に表示して、補正の再設定が必要か否かの判断をすることができるプロジェクタの制御方法、制御プログラム及びプロジェクタを得ることを目的とする。
【課題を解決するための手段】
【０００９】
上記目的を達成するために、本発明に係るプロジェクタの制御方法は、投写面に映像を投写するプロジェクタの制御方法であって、
起動時に直前の使用時の台形歪補正情報を読み出すステップと、
前記台形歪補正情報の表示を前記投写面に所定時間投写するステップと、
所定時間経過後、前記台形歪補正情報の表示を消すステップと、
を含むことを特徴とする。
上記方法により、投写映像の台形歪をユーザが手動で補正する際に、投写映像と投写領域周縁部との境界を明確に表示して、補正の再設定が必要か否かの判断をすることができる。
【００１０】
好ましくは、前記台形歪補正情報は、投写された映像の輪郭を示す投写枠を含むことを特徴とする。
これにより、投写映像と投写領域周縁部との境界を容易に認識することができる。
【００１１】
また、前記台形歪補正情報は、台形歪補正値を含むことを特徴とする。
これにより、台形歪補正の方向（台形の上底を狭める方向か、下底を狭める方向か）やその補正量を確認することができる。
【００１２】
また、前記台形歪補正情報の表示中に、台形歪補正操作を検出した場合は、台形歪補正モードに移行することを特徴とする。
これにより、速やかに台形歪補正を実行することができる。
【００１３】
また、本発明に係るプロジェクタの制御方法は、投写面に映像を投写するプロジェクタの制御プログラムであって、
投写面に映像を投写するプロジェクタの制御プログラムであって、
起動時に直前の使用時の台形歪補正情報を読み出すステップと、
前記台形歪補正情報の表示を前記投写面に所定時間投写するステップと、
所定時間経過後、前記台形歪補正情報の表示を消すステップと、
をプロジェクタに搭載されたコンピュータに実行させることを特徴とする。
これにより、投写映像の台形歪をユーザが手動で補正する際に、投写映像と投写領域周縁部との境界を明確に表示して、補正の再設定が必要か否かの判断をすることができるプロジェクタの制御プログラムを提供することができる。
【００１４】
また、本発明に係るプロジェクタは、映像を入力する映像入力部と、
投写面に映像を投写する映像投写部と、
起動時に直前の使用時の台形歪補正情報を読み出し、前記台形歪補正情報の表示を前記投写面に所定時間投写した後、前記台形歪補正情報の表示を消すように前記映像投写部を制御する制御部と、
を備えることを特徴とする。
上記構成により、投写映像の台形歪をユーザが手動で補正する際に、投写映像と投写領域周縁部との境界を明確に表示して、補正の再設定が必要か否かの判断をすることができるプロジェクタを、プロジェクタの製造コストを上げることなく提供することができる。
【発明を実施するための最良の形態】
【００１５】
以下、本発明に係るプロジェクタ及びその制御方法の実施の形態について、図面を参照して詳細に説明する。
図１は、本発明の実施の形態に係るプロジェクタの要部の機能ブロック図である。
プロジェクタ１は、図１に示すように、映像入力部２と、映像信号処理部３と、台形歪補正部４と、映像投写部５と、画像形成部５ａと、制御部６と、キー入力処理部７と、記憶部８と、タイマ９とを備えている。
【００１６】
映像入力部２は、各種映像機器からの映像を入力するコネクタなどを含む部分である。映像信号処理部３は、各種映像機器から送信された映像信号がアナログ映像信号の場合はアナログ／デジタル変換処理を行って所定のデジタル信号フォーマットに変換し、映像の表示状態（例えば、輝度、コントラスト、同期、トラッキング、色の濃さ、色合い等）の調整等を行う。
【００１７】
台形歪補正部４は、映像信号処理部３で処理された映像信号の画像に対して、画像補正を行う。
【００１８】
映像投写部５は、画像形成部５ａに書き込まれた画像をレンズ５ｂ等の光学系を通して、スクリーン等の投写面１０に投写する。そして、この画像形成部５ａは、空間光変調素子（液晶ライトバルブや微少ミラーアレイデバイス等）で構成されたものであり、縦横に複数配置された画素からなり、これらの画素に書き込まれた画像に投写光を透過又は反射させ、映像投写部５内のレンズ５ｂ等の光学系を通して、スクリーン等の投写面１０に投写されるものである。なお、このときプロジェクタ１と投写面１０とが、例えば図１のように、投写光の光軸に対して傾斜角度があり相対的に傾いている場合、投写画像に台形歪が発生する。
【００１９】
制御部６は、キー入力処理部７より指示されて映像信号処理部３の各種映像信号処理を制御するとともに、台形歪補正部４の制御と、映像投写部５の制御を行う。
【００２０】
キー入力処理部７は、リモコンやプロジェクタ本体に設けられ各種の機能が割り当てわれた複数のキースイッチからの入力を処理して制御部６へキースイッチ操作に基づく指示命令を送信する。
【００２１】
記憶部８は、制御部６から送信された各種の設定データを記憶するとともに、制御部６からの命令に応じて記憶された各種の設定データを制御部６へ送信する。
タイマ９は、台形歪補正情報の表示時間を計時する。
【００２２】
次に、本実施の形態に係るプロジェクタの制御方法を図２を用いて説明する。
図２は、本実施の形態のプロジェクタの制御方法を説明するフロー図である。図３は本実施の形態のプロジェクタの制御方法により投写された映像の一例を示す図である。
【００２３】
プロジェクタ１の電源が投入され（ステップＳ１）、投写が開始される（ステップＳ２）と、制御部６は記憶部８に記憶された台形歪補正情報を読み出す（ステップＳ３）。この台形歪補正情報は以前にプロジェクタ１が使用された際に台形歪補正が行われた場合、台形歪補正の設定情報が記憶されたものである。
【００２４】
そして、台形歪補正情報の読み出しの開始と共にタイマ９による計時がスタートする（ステップＳ４）。タイマスタートと同時に投写面（スクリーン等）に、台形歪の補正情報（補正枠、補正値等）を含む映像が、例えば図３に示すように投写される。図３において、投写映像１１を囲むように補正枠１２が表示され、補正値１３（図３の例では、台形歪補正＋５と表示）が表示される。補正枠１２の外側が投写領域周縁部１４である。
補正枠１２は、画像形成部５ａに形成された映像の輪郭部分の所定の画素に枠を書き込むことによって表示される。また、補正値１３は、ＯＳＤメニュー（On Screen Display Menu）を表示するのと同様に投写映像に重畳して表示する。
本発明の投写枠（補正枠）は、本実施の形態の補正枠１２が該当する。
【００２５】
この台形歪の補正情報（補正枠、補正値等）を含む映像が表示されている間に、台形歪補正操作を検出したか否かを判定する（ステップＳ６）。
台形歪補正操作が検出されなかった場合（ステップＳ６：Ｎｏ）は、タイマ９による計時時間が所定時間経過したかを判定（ステップＳ７）し、所定時間に達していない場合（ステップＳ７：Ｎｏ）は、ステップＳ６及びステップＳ７の動作を繰り返す。所定時間に達した場合（ステップＳ７：Ｙｅｓ）は、タイマ９による計時をストップし（ステップＳ８）、台形歪の補正情報（補正枠、補正値等）の表示を消し、投写映像１１のみを投写する（ステップＳ９）。
【００２６】
一方、上記のステップＳ６において、台形歪補正操作が検出された場合（ステップＳ６：Ｙｅｓ）は、即座にタイマ９の計時動作を停止し（ステップＳ１０）、通常の台形歪補正モードに移行する（ステップＳ１１）。
【００２７】
なお、上記ステップＳ９の後で、台形歪補正操作が検出された場合においても、通常の台形歪補正モードに移行するようにしてもよい。
【００２８】
以上のようにして、本実施の形態に係るプロジェクタ及びその制御方法によれば、プロジェクタ１の製造コストを上げることなく、投写映像１１の台形歪をユーザが手動で補正する際に、投写映像１１と投写領域周縁部１４との境界を明確に表示して、補正の再設定が必要か否かの判断をすることができる。
【図面の簡単な説明】
【００２９】
【図１】本発明の実施の形態に係るプロジェクタの要部の機能ブロック図である。
【図２】本実施の形態のプロジェクタの制御方法を説明するフロー図である。
【図３】本実施の形態のプロジェクタの制御方法により投写された映像の一例を示す図である。
【図４】台形歪補正スイッチによる台形歪補正操作を説明する模式図である。
【図５】スクリーン上に台形歪補正後の映像が投写されている状態を説明する模式図である。
【符号の説明】
【００３０】
１：プロジェクタ、２：映像入力部、３：映像信号処理部、４：台形歪補正部、５：映像投写部、５ａ：画像形成部、５ｂ：レンズ、６：制御部、７：キー入力処理部、８：記憶部、９：タイマ、１１：投写映像、１２：補正枠、１３：補正値、１４：投写領域周縁部、１０１，１０２：台形歪補正スイッチ
【図１】
2009147585.tif 000003
【図２】
2009147585.tif 000004
【図３】
2009147585.tif 000005
【図４】
2009147585.tif 000006
【図５】
2009147585.tif 000007